(57)【要約】  本発明は、エアバッグハウジングと、エアバッグと、円筒状ガス発生装置と、エアバッグ保持要素と、円筒状ガス発生装置が固定されるガス案内装置とによって構成される、特に膝エアバッグ用のエアバッグモジュールに関する。本発明によると、エアバッグ保持要素（１）は、ガス案内装置（４）を有する単体の構成部材を形成している。【選択図】    図１
2009511352.tif 000002
【特許請求の範囲】
【請求項１】
エアバッグハウジングと、エアバッグと、円筒状ガス発生装置と、エアバッグ保持装置と、前記円筒状ガス発生装置が固定されるガス案内装置と、を有し、
特に膝エアバッグに用いられるエアバッグモジュールであって、
前記エアバッグ保持装置（１）は、前記ガス案内装置（４）を一体状に有することを特徴とするエアバッグモジュール。
【請求項２】
請求項１に記載のエアバッグモジュールであって、前記エアバッグ保持装置（１）は、前記エアバッグ（３）を固定するための保持板（２）を有すること、及びドーム状に湾曲した部分であるガス案内装置（４）を有することを特徴とするエアバッグモジュール。
【請求項３】
請求項２に記載のエアバッグモジュールであって、前記ガス案内装置（４）が前記保持板（２）から外側へ突出していることを特徴とするエアバッグモジュール。
【請求項４】
請求項２に記載のエアバッグモジュールであって、前記保持板（２）は、少なくとも略長方形状とされ、前記ガス案内装置（４）は、少なくとも略正方形状の断面を有することを特徴とするエアバッグモジュール。
【請求項５】
請求項１から４の少なくとも１項に記載のエアバッグモジュールであって、前記エアバッグ保持装置（１）は、深絞り加工された部品として構成されていることを特徴とするエアバッグモジュール。
【請求項６】
請求項１から５のいずれか１項に記載のエアバッグモジュールであって、前記円筒状ガス発生装置（７）は、一方の端部に前記ガス吐出口（１０）を有し、当該端部を介して前記ガス案内装置（４）に固定されているとともに、前記円筒状ガス発生装置（７）の他方の端部は、前記エアバッグハウジングに固定されたクリップ（１１）に取付けられていることを特徴とするエアバッグモジュール。
【発明の詳細な説明】
【技術分野】
【０００１】
本発明は、請求項１の前文に記載のエアバッグモジュール、特に膝用のエアバッグモジュールに関する。
【背景技術】
【０００２】
ＤＥ１０３５４５６０Ａ１は、ガス偏向板がボルトによってエアバッグハウジングに固定されたエアバッグモジュールを開示している。エアバッグの注入口縁部は、エアバッグハウジングの基部とガス偏向板の基部との間の大きな表面領域を覆って締付固定されている。別部材として形成されたガス案内管は、ガス偏向板とエアバッグハウジングの開口部を通ってエアバッグの収容スペース内へ延伸している。ガス案内管は、エアバッグの収容スペース内に位置する流出口より下方にフランジを有し、このフランジは、ガス偏向板上に乗るように配置されてガス偏向板に接続されている。
ガス案内管は、エアバッグハウジングの外側に延伸し、その外側領域に流入口を有している。円筒状ガス発生装置は、当該領域、すなわちエアバッグハウジングの外側でガス案内管に固定されている。
【０００３】
このような構成では、固定フランジを有しているためにガス案内管の製造が比較的面倒であり、また、ガス偏向板に装着されることにより経費が嵩むという欠点がある。
【特許文献１】ＤＥ１０３５４５６０Ａ１
【発明の開示】
【発明が解決しようとする課題】
【０００４】
本発明は、ガス発生装置が固定されるガス案内装置の製造、装着を簡略化することを課題としている。
【課題を解決するための手段】
【０００５】
上記課題は、本発明に係る請求項１に記載の特徴によって解決される。
【０００６】
エアバッグハウジング、エアバッグ、円筒状ガス発生装置、エアバッグ保持装置、及び、円筒状ガス発生装置が固定されるガス案内装置を有する、特に膝エアバッグ用のエアバッグモジュールにつき、本発明によれば、エアバッグ保持装置とガス案内装置とが一体状に構成される。この構成は、エアバッグ保持装置とガス案内装置が一作業で製造され、また、ガス案内装置の取付経費が要らなくなるという利点がある。
【０００７】
エアバッグ保持装置は、エアバッグを固定するための保持板を有することが好ましく、また、ドーム状に湾曲した部分であるガス案内装置を有している。ガス案内装置は、保持板から外側へ突出していることが好ましい。
【０００８】
保持板は、少なくとも略長方形であり、ガス案内装置は、少なくともほぼ正方形の断面を有している。
【０００９】
エアバッグ保持装置は、深絞り加工された部品として構成されていることが好ましい。
【００１０】
好適な実施の形態では、円筒状ガス発生装置は、一方の端部にガス吐出口が設けられている。この円筒状ガス発生装置は、当該端部を介してガス案内装置に固定され、他方の端部は、エアバッグハウジングに固定されたクリップに取付けられる。
【発明を実施するための最良の形態】
【００１１】
エアバッグ保持装置１は、エアバッグ３を固定するための保持板２と、ドーム状に湾曲した部分であるガス案内装置４とを有する。ガス案内装置４は、円筒状のガス発生装置７を固定するための２つの開口部５，６を有している。エアバッグ保持装置１をエアバッグハウジング９に固定するために、保持板２にはボルト８が設けられている。
【００１２】
図２は、装着された状態のエアバッグ保持装置１を示している。エアバッグ保持装置１は、エアバッグ３の製造過程で既にエアバッグ３内に縫合されており、ガス案内装置４はエアバッグ３の外側に突出している。エアバッグ取付時に、ガス案内装置４とボルト８は、エアバッグハウジング９の対応する開口部に差し込まれる。ボルト８によって保持板２をエアバッグハウジング９に固定した後、円筒状ガス発生装置７が取り付けられる。この場合、ガス発生装置７は、ガス吐出口１０が設けられている側の端部が、開口部５，６からガス案内装置４に押し込まれてネジ止めされる。また、円筒状ガス発生装置７は、開口部５，６の領域においてガス案内装置４に気密状に押し当てられるが、その間に任意に環状シールを介在させてもよい。円筒状ガス発生装置の他方の端部は、クリップ１１によってエアバッグハウジング９に固定される。
【００１３】
このように、本発明に係るガス案内装置を有するエアバッグ保持装置は、その製造方法により簡単に一体として製造及び取付ができる。
【図面の簡単な説明】
【００１４】
【図１】ガス案内装置を有する本発明に係るエアバッグ保持装置を示す。
【図２】ガス発生装置が取り付けられたエアバッグモジュールの断面図である。
【図１】
2009511352.tif 000003
【図２】
2009511352.tif 000004
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
エアバッグハウジングと、エアバッグと、円筒状ガス発生装置と、エアバッグ保持装置と、前記円筒状ガス発生装置が固定されるガス案内装置と、を有し、
特に膝エアバッグに用いられるエアバッグモジュールであって、
前記エアバッグ保持装置（１）は、前記ガス案内装置（４）を一体状に有するとともに、前記エアバッグ（３）を固定するための保持板（２）を有すること、及びドーム状に湾曲した部分であるガス案内装置（４）を有することを特徴とするエアバッグモジュール。
【請求項２】
請求項１に記載のエアバッグモジュールであって、前記保持板（２）は、少なくとも略長方形状とされ、前記ガス案内装置（４）は、少なくとも略正方形状の断面を有することを特徴とするエアバッグモジュール。
【請求項３】
請求項１または２に記載のエアバッグモジュールであって、前記エアバッグ保持装置（１）は、深絞り加工された部品として構成されていることを特徴とするエアバッグモジュール。
【請求項４】
請求項１から３のいずれか１項に記載のエアバッグモジュールであって、前記円筒状ガス発生装置（７）は、一方の端部に前記ガス吐出口（１０）を有し、当該端部を介して前記ガス案内装置（４）に固定されているとともに、前記円筒状ガス発生装置（７）の他方の端部は、前記エアバッグハウジングに固定されたクリップ（１１）に取付けられていることを特徴とするエアバッグモジュール。
【手続補正２】
【補正対象書類名】明細書
【補正対象項目名】全文
【補正方法】変更
【補正の内容】
【発明の詳細な説明】
【技術分野】
【０００１】
本発明は、請求項１の前文に記載のエアバッグモジュール、特に膝用のエアバッグモジュールに関する。
【背景技術】
【０００２】
ＤＥ１０３５４５６０Ａ１は、ガス偏向板がボルトによってエアバッグハウジングに固定されたエアバッグモジュールを開示している。エアバッグの注入口縁部は、エアバッグハウジングの基部とガス偏向板の基部との間の大きな表面領域を覆って締付固定されている。別部材として形成されたガス案内管は、ガス偏向板とエアバッグハウジングの開口部を通ってエアバッグの収容スペース内へ延伸している。ガス案内管は、エアバッグの収容スペース内に位置する流出口より下方にフランジを有し、このフランジは、ガス偏向板上に乗るように配置されてガス偏向板に接続されている。
ガス案内管は、エアバッグハウジングの外側に延伸し、その外側領域に流入口を有している。円筒状ガス発生装置は、当該領域、すなわちエアバッグハウジングの外側でガス案内管に固定されている。
【０００３】
このような構成では、固定フランジを有しているためにガス案内管の製造が比較的面倒であり、また、ガス偏向板に装着されることにより経費が嵩むという欠点がある。
【特許文献１】ＤＥ１０３５４５６０Ａ１
【発明の開示】
【発明が解決しようとする課題】
【０００４】
本発明は、ガス発生装置が固定されるガス案内装置の製造、装着を簡略化することを課題としている。
【課題を解決するための手段】
【０００５】
上記課題は、本発明に係る請求項１に記載の特徴によって解決される。
【０００６】
エアバッグハウジング、エアバッグ、円筒状ガス発生装置、エアバッグ保持装置、及び、円筒状ガス発生装置が固定されるガス案内装置を有する、特に膝エアバッグ用のエアバッグモジュールにつき、本発明によれば、エアバッグ保持装置とガス案内装置とが一体状に構成される。この構成は、エアバッグ保持装置とガス案内装置が一作業で製造され、また、ガス案内装置の取付経費が要らなくなるという利点がある。
【０００７】
エアバッグ保持装置は、エアバッグを固定するための保持板を有することが好ましく、また、ドーム状に湾曲した部分であるガス案内装置を有している。ガス案内装置は、保持板から外側へ突出していることが好ましい。
【０００８】
保持板は、少なくとも略長方形であり、ガス案内装置は、少なくともほぼ正方形の断面を有している。
【０００９】
エアバッグ保持装置は、深絞り加工された部品として構成されていることが好ましい。
【００１０】
好適な実施の形態では、円筒状ガス発生装置は、一方の端部にガス吐出口が設けられている。この円筒状ガス発生装置は、当該端部を介してガス案内装置に固定され、他方の端部は、エアバッグハウジングに固定されたクリップに取付けられる。
【発明を実施するための最良の形態】
【００１１】
エアバッグ保持装置１は、エアバッグ３を固定するための保持板２と、ドーム状に湾曲した部分であるガス案内装置４とを有する。ガス案内装置４は、円筒状のガス発生装置７を固定するための２つの開口部５，６を有している。エアバッグ保持装置１をエアバッグハウジング９に固定するために、保持板２にはボルト８が設けられている。
【００１２】
図２は、装着された状態のエアバッグ保持装置１を示している。エアバッグ保持装置１は、エアバッグ３の製造過程で既にエアバッグ３内に縫合されており、ガス案内装置４はエアバッグ３の外側に突出している。エアバッグ取付時に、ガス案内装置４とボルト８は、エアバッグハウジング９の対応する開口部に差し込まれる。ボルト８によって保持板２をエアバッグハウジング９に固定した後、円筒状ガス発生装置７が取り付けられる。この場合、ガス発生装置７は、ガス吐出口１０が設けられている側の端部が、開口部５，６からガス案内装置４に押し込まれてネジ止めされる。また、円筒状ガス発生装置７は、開口部５，６の領域においてガス案内装置４に気密状に押し当てられるが、その間に任意に環状シールを介在させてもよい。円筒状ガス発生装置の他方の端部は、クリップ１１によってエアバッグハウジング９に固定される。
【００１３】
このように、本発明に係るガス案内装置を有するエアバッグ保持装置は、その製造方法により簡単に一体として製造及び取付ができる。
【００１４】
本発明では、「エアバッグハウジングと、エアバッグと、円筒状ガス発生装置と、エアバッグ保持装置と、前記円筒状ガス発生装置が固定されるガス案内装置と、を有し、特に膝エアバッグに用いられるエアバッグモジュールであって、前記エアバッグ保持装置（１）は、前記ガス案内装置（４）を一体状に有するとともに、前記エアバッグ（３）を固定するための保持板（２）、及びドーム状に湾曲した部分であるガス案内装置（４）を有し、前記ガス案内装置（４）が前記保持板（２）から外側へ突出していることを特徴とするエアバッグモジュール」或いは「請求項１に記載のエアバッグモジュールであって、前記ガス案内装置（４）が前記保持板（２）から外側へ突出していることを特徴とするエアバッグモジュール」という態様が想到される。
【図面の簡単な説明】
【００１５】
【図１】ガス案内装置を有する本発明に係るエアバッグ保持装置を示す。
【図２】ガス発生装置が取り付けられたエアバッグモジュールの断面図である。
【国際調査報告】
2009511352.tif 000005
2009511352.tif 000006
2009511352.tif 000007
2009511352.tif 000008
2009511352.tif 000009
2009511352.tif 000010